(57)【要約】【課題】  年間を通して快適に使用することができる敷布団を提供する。【解決手段】  羽毛及び／又は羽根を充填した第１層と、ポリエステル、または羊毛、あるいは、ポリエステルと羊毛を充填した第２層と、芯材を含有する中間層と、を具える多層構造の敷布団。【実用新案登録請求の範囲】
【請求項１】
羽毛及び／又は羽根を充填した第１層と、ポリエステル、または羊毛、あるいは、ポリエステルと羊毛を充填した第２層と、芯材を含有する中間層と、を具えることを特徴とする多層構造の敷布団。
【請求項２】
前記第１層及び／又は第２層がキルティング加工されていることを特徴とする多層構造の敷布団。
【請求項３】
前記芯材が、ポリエステル固綿及び／又はウレタンフォームであることを特徴とする請求項１又は２に記載の多層構造の敷布団。
【請求項４】
前記第１層、第２層、及び中間層の周囲がアドラー加工されていることを特徴とする請求項１乃至３のいずれかに記載の多層構造の敷布団。
【考案の詳細な説明】
【技術分野】
【０００１】
本考案は、敷布団に関するものであり、特に、羽毛層を有する多層構造の敷布団に関する。
【背景技術】
【０００２】
敷布団は、年間を通じて使用されるものであり、快眠を追求して様々なものが考案されている。特に、多層構造の敷布団は、芯材を入れることによって健康に良いといわれている固めの敷布団を提供することができるため、注目されている。
【０００３】
このような、多層構造の敷布団は、一般に、第１層（表層）と第２層（裏層）に、同じ種類の充填物が用いられている。
【特許文献１】特開２０００−２０１７７８
【考案の開示】
【考案が解決しようとする課題】
【０００４】
従来の多層構造の敷布団において、保温性を重視した充填物を用いた場合は、夏期には温かすぎ、通気性を重視した充填物を用いた場合は、冬期に保温性に欠けるという問題がある。このように、従来の敷布団は、年間を通じて使用するには、十分な機能を有していない。
【０００５】
本考案は、上記課題を解決して、年間を通じて快適に使用できる敷布団を提供しようとするものである。
【課題を解決するための手段】
【０００６】
上記課題を解決するために、本考案の多層構造の敷布団は、羽毛及び／又は羽根を充填した第１層と、ポリエステル、または羊毛、あるいは、ポリエステルと羊毛を充填した第２層と、芯材を含有する中間層と、を具えることを特徴とする。
【０００７】
このように、３層構造とすることによって、保温性と通気性を兼ね備えた敷布団を提供することができる。
【０００８】
前記第１層及び／又は第２層は、充填物の片寄りを防止するべく、キルティング加工されていることが好ましい
【０００９】
前記中間層の芯材には、ポリエステル固綿及び／又はウレタンフォームを好適に使用することができる。
【００１０】
また、前記第１層、第２層、及び中間層を、アドラー加工によって積層することによって、生産性、デザイン性を向上させることができる。
【考案の効果】
【００１１】
上述したとおり、本考案の敷布団は、第１層に羽毛及び／又は羽根を充填しているため保温性に優れる。また、ポリエステルまたは羊毛、あるいはポリエステルと羊毛の混合物を充填した第２層を有するため、通気性も確保することができ、夏冬を問わず年間を通して使用することができる。
【００１２】
更に、芯材を含む中間層を設けることによって、不使用時の保管スペースを小さく抑えることができる。
【００１３】
また、各層を独立させた構成を取っているため、第１層の表生地と、第２層の表生地に異なる機能を付加することが可能である。
【００１４】
さらに、各層を別個に製造することができるので、消費者のニーズに合わせた製品を提供することが可能となる。また、工場サイドにおいても、大量生産に適合しうる。
【００１５】
さらに、アドラー加工で各層を一体化するようにしているので、一体化が容易であり、生産性が向上する。また、多様なデザインを提供することが可能となる。
【考案を実施するための最良の形態】
【００１６】
以下に図面を参照して、本考案の実施形態を詳細に説明する。
【００１７】
図１は、本考案に係る多層構造の敷布団の構成を示す断面図である。図１を参照すると、本考案の敷布団１は、第１層１０、第２層２０、及び、中間層（第３層）３０から構成される三層構造を有する。
【００１８】
第１層１０は、表生地１２と、裏生地１４と、これらの間に充填した羽毛及び／又は羽根１６で、また第２層２０は、表生地２２と、裏生地２４と、これらの間に充填したポリエステル、または羊毛、あるいは羊毛とポリエステルの混合物２６で、構成されている。また、第１層と第２層との間に設けた中間層３０は、ポリエステルの固綿、またはウレタンフォームでなる芯材３２を含む。
【００１９】
第１層及び第２層は、それぞれ、キルティング１８、２８が施されており、充填物１６及び２６に片寄りが生じないように構成されている。また、各層を高さ方向に重ねて、縁部４０をアドラー加工することによって、３つの層を一体化している。
【００２０】
これらの層は、各々独立した層として製造され、最終工程においてアドラー加工等のへム処理を行って一体化する。従って、製造工程において、各層を半製品として取り置くことが可能である。
【００２１】
アドラー加工には、化繊トリコットや、綿テープ、あるいは敷布団の共布を好適に使用することができる。
【００２２】
第１層１０の充填物１６である、羽毛と羽根の混合比率を変えることによって、敷布団１の保温力と通気性を変えることができる。
【００２３】
また、第１層１０又は第２層２０の表布や充填物２６には、夫々、抗菌、防臭、防ダニ処理を施すことができる。
【００２４】
中間層３０は、芯材３２にポリエステル固綿、またはウレタンフォームを使用することで、適度な硬さを得るとともに、軽量化を図ることができる。
【００２５】
第１層と第２層の、それぞれの表生地、裏生地には、綿、ポリエステル等、通常の布団生地として使用されている材料を、使用する。この表生地及び／又は裏生地には、防菌、防臭、防ダニ等の加工を施すようにしても良い。この場合、第１層の表生地１２と第２層の表生地２２を、それぞれが異なる機能を持つように加工しても良い。
【図面の簡単な説明】
【００２６】
【図１】図１は、本考案の好適な実施形態を示す断面図である。
【符号の説明】
【００２７】
１    敷布団
１０  第１層
２０  第２層
３０  中間層
１２、２２  表生地
１４、２４  裏生地
１６、２６  充填物
１８、２８  キルティング
３２  芯材
４０  縁部
【図１】
0003104354.tif 000002
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
羽毛及び／又は羽根を充填した第１層と、ポリエステル、または羊毛、あるいは、ポリエステルと羊毛を充填した第２層と、芯材を含有する中間層と、を具えることを特徴とする多層構造の敷布団。
【請求項２】
前記第１層及び／又は第２層がキルティング加工されていることを特徴とする請求項１に記載の多層構造の敷布団。
【請求項３】
前記芯材が、ポリエステル固綿及び／又はウレタンフォームであることを特徴とする請求項１又は２に記載の多層構造の敷布団。
【請求項４】
前記第１層、第２層、及び中間層の周囲がアドラー加工されていることを特徴とする請求項１乃至３のいずれかに記載の多層構造の敷布団。